(57)【特許請求の範囲】
【請求項１】
マイクロバブルを発生することによりマイクロバブル含有水を製造するマイクロバブル発生部と、
水またはマイクロバブル含有水と銀含有材料との接触により銀イオンを溶出させる銀イオン発生部と、
前記マイクロバブル含有水と前記銀イオンとを含むマイクロバブル含有銀イオン水に光照射する光照射部と、を少なくとも備える抗菌水生成装置。
【請求項２】
前記銀含有材料は、銀ゼオライト、銀含有水溶性ガラス、銀含有セラミックスおよび銀化合物微粒子からなる群より選ばれる少なくとも１の材料を含む請求項１に記載の抗菌水生成装置。
【請求項３】
前記銀イオン発生部は、マイクロバブル含有水と銀含有材料との接触により銀イオンを溶出させる請求項１または２に記載の抗菌水生成装置。
【請求項４】
前記銀イオン発生部は、マイクロバブル発生部の下方に設けられる請求項１〜３のいずれかに記載の抗菌水生成装置。
【請求項５】
前記銀イオン発生部は、複数個設けられる請求項１〜４のいずれかに記載の抗菌水生成装置。
【請求項６】
前記抗菌水生成装置は、前記マイクロバブル発生部で発生したマイクロバブル含有水を収容するための水槽をさらに備える請求項１〜５のいずれかに記載の抗菌水生成装置。
【請求項７】
前記銀イオン発生部は、前記水槽内の底面部分に設けられる請求項６に記載の抗菌水生成装置。
【請求項８】
前記銀イオン発生部は、前記水槽内の側面部分に設けられる請求項６に記載の抗菌水生成装置。
【請求項９】
前記抗菌水生成装置は、前記水槽内に攪拌部を備える請求項６〜８のいずれかに記載の抗菌水生成装置。
【請求項１０】
前記抗菌水生成装置は、前記水槽内のマイクロバブル含有銀イオン水を前記マイクロバブル発生部に循環させる循環機構を備える、請求項６〜８のいずれかに記載の抗菌水生成装置。
【請求項１１】
前記光照射部は、前記水槽内に設けられる請求項６〜９のいずれかに記載の抗菌水生成装置。
【請求項１２】
前記マイクロバブル発生部で発生させたマイクロバブルは、水中の溶存酸素濃度を高める効果を持つ請求項１〜１１のいずれかに記載の抗菌水生成装置。
【発明の詳細な説明】
【技術分野】
【０００１】
本発明は、銀イオンが有する抗菌効果を利用した抗菌水生成装置に関する。
【背景技術】
【０００２】
抗菌という言葉は、広義には「滅菌」（全ての微生物を殺滅）、「殺菌」（微生物を一部でも殺せば殺菌）、「消毒」、「除菌」、「制菌」（微生物の増殖防止）、「静菌」（微生物の増殖抑制）、「防カビ」、「防腐」という言葉を全て含む。抗菌・防黴剤は、無機系（Ａｇ、銅、亜鉛系、酸化チタン系）と有機系（合成系、天然系）とに大別される。
【０００３】
これら抗菌性化合物の利用は、産業分野では、紙・パルプ用スライムコントロール剤、木材防腐分野の他、水処理、分離の分野にも広がっている。生活分野では、冷蔵庫、洗濯機、浄水器、加湿器、掃除用ごみフィルタなど、あらゆる家電製品に広がっている。また、便器、バス、化粧室などの水周り生活用品、まな板などの水周り台所用品、生理用ナプキン、歯ブラシなどトイレタリー用品、鉛筆、定規などの文房具用品、タンス、机、カーペット、カーテンなどの家具・装飾品など、非常に広い範囲で利用されている。医療分野では、白衣、カーテンなどの繊維製品、また壁材などの建材、プラスチック類をはじめとする医療用器具などへ利用されている。
【０００４】
かつては抗菌性化合物といえば、農薬や医薬品の流れを汲む有機系化合物が用いられてきた。しかし、（１）選択性の高い抗菌スペクトル、（２）有機系化合物は即効性の面では優れるものの人や環境に対する安全性が懸念されること、などの観点から、近年では銀、銅、亜鉛といった抗菌性を有する金属を含んだものや、酸化チタンに代表される光触媒などの無機系抗菌性化合物が、その優れた耐熱性とあいまって主流となってきている。これら無機系抗菌性化合物において、細菌の増殖抑制の能力に着目すると、特に銀（より詳しくは銀イオン）の活性が高く、亜鉛イオン、銅イオン、カドミウムイオンがこれに続く。より具体的には銀の抗菌活性は、銅の抗菌活性の２００倍、亜鉛の抗菌活性の１，０００倍となっており、無機系抗菌性化合物は銀を用いるものが殆どである。
【０００５】
特に、銀は抗菌活性の高さ故、爆発的に上述したような様々な用途で利用されてきているが、未だ十分な抗菌効果が得られているとは限らない。先行技術として、銀イオンを利用した殺菌水製造装置、加湿器などの応用製品は既に知られているが、依然として十分な抗菌作用を発揮しつつ、銀イオン抗菌技術の持つ人体への安全性の高さを兼ね備えた技術の創出は見あたらない。
【０００６】
たとえば、特許文献１には、銀イオンを電気分解で生成し殺菌水を製造する装置が開示されている。しかしながら、特許文献１に記載された装置を実際に水道水に繋いだ場合、水道水中の塩素イオンに対する検討も必要となり、２．０ｐｐｍの銀含有殺菌水を得る場合には、電解タンク中に塩化銀からなる沈殿を生じ、必要としている銀イオン濃度と実際に得られる銀イオン濃度とは整合しない。また３００ｍＡもの高い消費電力を要することになれば、経済的にも負担を強いられる。またこの装置で製造された殺菌水は、原核生物への応用に関する効果については定かではない。
【０００７】
また、たとえば特許文献２には、銀イオン以外の抗菌効果として、超微細な気泡（マイクロバブル）であって１０〜２０ミクロン単位の気泡を用いて、静菌効果を狙った技術が開示されている。特許文献２は、洗浄効果を目指しており、微細な大量の気泡により、繊維の奥深くまで気泡が浸透し易くなるため、汚れ落ち効果が得られ、さらに上記大量のマイクロバブルは繊維および洗浄水との表面接触が多く、洗濯物とマイクロバブルが衝突して気泡が破裂する際の微小振動によって洗浄効果が得られるようにしている。しかし、この特許文献２に開示された技術は、上述のように、洗濯機として汚れ分解能力を高めた洗浄効果を得るためにマイクロバブルを利用していることに主眼を置いており、その効果も静菌に止まり、マイクロバブルを積極的に利用した抗菌効果については言及していない。
【特許文献１】特開２００１−６２４５８号公報
【特許文献２】特開２００４−３１３２９６号公報
【発明の開示】
【発明が解決しようとする課題】
【０００８】
上述した従来技術では、効果的な銀イオン抗菌効果が確認されておらず、オゾン、塩素系洗剤のような人体にとっても有害な溶液で抗菌作用を発揮するものが殆どであった。したがって、銀イオン抗菌効果を利用したより高い抗菌作用を発揮し得る応用技術の開発が求められている。
【０００９】
本発明は、上記課題を解決するためになされたものであって、その目的とするところは、銀イオン抗菌効果を利用し、より高い抗菌作用をより低い消費電力にて発揮させることができる、新規な抗菌水生成装置を提供することである。
【課題を解決するための手段】
【００１０】
本発明は、マイクロバブルを発生し、マイクロバブル含有水を製造するマイクロバブル発生部と、水またはマイクロバブル含有水と銀含有材料との接触により銀イオンを溶出させる銀イオン発生部と、マイクロバブル含有水と銀イオンとを含むマイクロバブル含有銀イオン水に光照射する光照射部とを少なくとも備える抗菌水生成装置に関する。
【００１１】
上記銀含有材料は、銀ゼオライト、銀含有水溶性ガラス、銀含有セラミックスおよび銀化合物微粒子からなる群より選ばれる少なくとも１の材料を含むことが好ましい。
【００１２】
上記銀イオン発生部は、マイクロバブル含有水と銀含有材料との接触により銀イオンを溶出させることが好ましく、また、マイクロバブル発生部の下方に銀イオン発生部を設けることが好ましい。
【００１３】
上記銀イオン発生部は複数個設置されていることが好ましい。
また、本発明の抗菌水生成装置は、マイクロバブル発生部で発生されたマイクロバブル含有水を収容するための水槽を備えることが好ましい。
【００１４】
上記銀イオン発生部は上記水槽内に設置する形態をとることができ、その場合、水槽内の底面部分または側面部分に設置されていることがより好ましい。
【００１５】
また本発明の抗菌水生成装置において、上記水槽内に攪拌部を備えることが好ましい。
本発明の抗菌水生成装置は、上記水槽内のマイクロバブル含有銀イオン水をマイクロバブル発生部に循環させる循環機構を備えることが好ましい。
【００１６】
また本発明の抗菌水生成装置は、上記光照射部を水槽部内に備えることが好ましい。さらに、本発明において上記マイクロバブル発生部で発生させたマイクロバブルは、水中の溶存酸素濃度を高める効果を持つことが好ましい。
【発明の効果】
【００１７】
本発明によれば、電気分解を用いずに、特定の銀イオン発生部を設けることにより、従来に比べ消費電力を抑えることが可能であり、また、より高い銀イオン抗菌効果を発揮する抗菌水生成装置を提供ことができる。
【発明を実施するための最良の形態】
【００１８】
以下、本発明についてさらに詳細に説明する。なお、以下の実施の形態の説明では、図面を用いて説明しているが、本願の図面において同一の参照符号を付したものは、同一部分または相当部分を示している。
【００１９】
＜抗菌水生成装置＞
図１〜図５は本発明の抗菌水生成装置の好ましい実施態様を模式的に示す図である。
【００２０】
本発明の抗菌水生成装置は、図１〜図５に示されるように、銀イオンが有する抗菌効果を最大限に利用するため、マイクロバブルを発生し、マイクロバブルを含有する水（マイクロバブル含有水）を製造するマイクロバブル発生部１０３と、水またはマイクロバブル含有水と銀含有材料との接触により銀イオンを溶出させる銀イオン発生部１０２と、上記マイクロバブル含有水と上記銀イオンとを含むマイクロバブルを含む銀イオン水（マイクロバブル含有銀イオン水）に光照射する光照射部１１３とを少なくとも備える。なお、参照符号は図１に対応するものであるが、図２〜図５においても同様の構成である。以下の説明において、特に断りのない限り、参照符号は代表的なものであり、特定の図面を指定するものではない。
【００２１】
本発明の抗菌水生成装置は、望ましくは、得られたマイクロバブルを含む銀イオン水を受けるための水槽１０４を備える。水槽１０４は、得られたマイクロバブル含有銀イオン水や抗菌水を取り出すための取り出し口１０５と、マイクロバブルを含む銀イオン水を光照射する光照射部１１３が、通常設けられてなる。
【００２２】
本発明の抗菌水生成装置は、図１に示す例のように、マイクロバブル発生部の下方に水槽１０４が設けられていてもよい。水槽の形状等は、目的に応じて適宜選択することができる。
【００２３】
また、上記水槽内のマイクロバブル含有銀イオン水を攪拌することが好ましく、たとえば図１に示すような攪拌部１１０または図２に示すような循環機構１１２により攪拌することができる。攪拌部により水槽内のマイクロバブル含有銀イオン水を攪拌することで、銀化合物の沈殿を防ぎ、抗菌水の銀イオン濃度を一定に保持することができる利点がある。上記攪拌部は、従来公知の適宜の手段にて実現することができ、具体的には、攪拌羽根のついた攪拌機などを挙げることができる。攪拌部の設置の仕方に特に制限はなく、たとえば図１に示すように水槽１０４の底面部分に設けるようにしてもよいし、後述する図３に示す例のように水槽３０４の側面部分に設けるようにしてもよい。また、水槽に攪拌部が設けられる代わりに、図２に示すように、水槽内の水をマイクロバブル発生部２０３に循環させる循環機構２１２を設けてもよい。循環機構２１２は、たとえば水槽２０４内の水を汲み出すためのポンプと、ポンプにより水槽２０４から汲み出されたマイクロバブル含有銀イオン水をマイクロバブル発生部２０３に連結するための管路２１４とを有するように実現される。このような循環機構２１２が設けられてなることで、繰り返し水槽２０４にマイクロバブルを供給することができ、常に高濃度のマイクロバブルを供給することができるという利点がある。
【００２４】
なお、本発明の抗菌水生成装置における、銀イオン発生部の位置については、特に制限されるものではないが、マイクロバブル発生部の下側に配置され、銀イオン発生部にマイクロバブル含有水が流入するように設置することで、銀含有材料がマイクロバブル含有水と接触することが好ましい。図１および図２には、その一例として、マイクロバブル発生部と水槽との間を連結する管路に銀イオン発生部が設けられた場合を示す。銀イオン発生部は、図１および図２に示した場合以外にも、たとえば図３および図４示すように、銀イオン発生部が水槽の底面部分に設置されていてもよい。このように銀イオン発生部を水槽の底面部分に設置することで、銀イオン発生部を必ず水またはマイクロバブルを含む水と接触させることができるという利点がある。また、銀イオン発生部は、水槽の側面部分に設置されても勿論よい（図示せず）。
【００２５】
＜マイクロバブル発生部＞
本発明におけるマイクロバブル発生部は、特に制限されるものではなく、従来公知の方法を適宜用いることができる。上記特許文献２に記載されているように、直径がマイクロメートルオーダーであるバブル（マイクロバブル）に関しては広く研究されている。たとえば、キャビテーションによって直径が１０μｍ程度の気泡を発生させて、このマイクロバブルの気泡溶解および浮上分離などの機能性を利用した油の汚濁促進効果などに利用する技術が公知である。本発明の抗菌水生成装置においては、このうち、マイクロバブルが有する帯電効果を利用することで、銀ゼオライトに代表される銀イオン発生機構からの銀イオン溶出促進を実現するものである。
【００２６】
上記マイクロバブルの直径（マイクロバブル径）は、電荷密度および銀イオン溶出効果の点から１０〜１００μｍであることが好ましく、より好ましくは、２０〜５０μｍである。また、発生時にこのような範囲の直径を有するマイクロバブルはバブルの崩壊が少ないので、銀イオンによる抗菌をより効率的に行なうことが可能となる。また、本発明においては、マイクロバブル発生時および得られる抗菌水において上記サイズのマイクロバブルであることが好ましい。
【００２７】
上記マイクロバブルを発生させる方法としては、上述のように従来公知の方法を適宜選択し用いることができる。たとえば、マイクロバブル発生部にコンプレッサを備え、コンプレッサから多孔質フィルタを介して、マイクロバブル発生部に存在させる水に圧縮空気を送り込むことにより発生させることができる。圧縮空気が多孔質フィルタを通して送り込まれると、圧縮空気は、分断された状態で小さな空気流を複数発生してマイクロバブル発生部に流入する。このような状態の圧縮空気がマイクロバブル発生部内で、流水と混合することによって、マイクロバブルを含む水（マイクロバブル含有水）が発生する。
【００２８】
具体的には、たとえば図１に示すように、マイクロバブル発生部１０３に、蛇口取り付け口１０６を介して水道蛇口１０７から水が流入するよう構成とし、コンプレッサ１０８から圧縮空気が多孔質フィルタ１０９を介して送り込まれる構成とすることで、マイクロバブルを発生させることができる。また、たとえば、マイクロバブル発生部１０３として、水道蛇口１０７とコンプレッサ１０８とが接続された、三方弁からなるアスピレータを用いる構成としてもよい。
【００２９】
マイクロバブル発生部に流入させる水の流速は特に限定されず、マイクロバブル発生部に水が存在すればよいが、マイクロバブルの発生効率の点からは０．５ｌ／ｍｉｎ〜１０ｌ／ｍｉｎとすることが好ましい。
【００３０】
上記コンプレッサにより多孔質フィルタを介してマイクロバブル発生部に送り込まれる圧縮空気の流速は、特に制限されるものではないが、バブル径の大きさを制御する観点から、８ｍｌ／ｍｉｎ以下であることが好ましく、３ｍｌ／ｍｉｎ以下であることがより好ましい。圧縮空気の流速が８ｍｌ／ｍｉｎを超える場合には、バブル径が大きくなり過ぎ、マイクロバブルを作製できないという傾向にある。また、上記圧縮空気の流速は、バブル径の制御の点からは小さいほど好ましいが、マイクロバブルを発生させる点から０．１ｍｌ／ｍｉｎ以上であることが好ましい。
【００３１】
上記多孔質フィルタとしては、特に制限されるものではないが、たとえばコーディエライト（２ＭｇＯ・２ＡｌＯ3・５ＳｉＯ2）などの材質で形成されたフィルタを例示することができる。また、多孔質フィルタの空隙率は、５０〜９５％であることが好ましく、５０〜８０％であることがより好ましい。空隙率が上記範囲を満足する場合は、銀イオンの溶出効率を向上させるサイズのマイクロバブルを安定して生成させることができる。
【００３２】
また、多孔質フィルタのセルサイズは、一辺が０．７ｍｍ〜１０ｍｍの範囲内であることが好ましく、０．９ｍｍ〜１．２ｍｍの範囲内であることがより好ましい。このような多孔質フィルタとしては、具体的には、ハニセラム（日本ガイシ製）などを挙げることができる。
【００３３】
上記のように発生させたマイクロバブルの単位体積あたりの発生頻度は、０．１〜０．５％であることが好ましく、より好ましくは０．３〜０．４％である。
【００３４】
なお、本発明において、マイクロバブル径、マイクロバブルの単位体積あたりの発生頻度は、水槽にマイクロバブルを発生させ、ガラスを水面と平行に設置しマイクロバブルを吸着させ、デジタルマイクロスコープで観察して、測定し求めることができる。
【００３５】
本発明の抗菌水生成装置において、マイクロバブル発生部から発生するマイクロバブルは、水などの媒体中の溶存酸素濃度を高める効果を併せ持つため、銀イオンとマイクロバブルとを混合することで、たとえば８〜１２ｍｇ／ｌという高い溶存酸素濃度のマイクロバブル含有銀イオン水を生成することができる。銀イオンは触媒効果を有するため、本発明で得られたマイクロバブルを含む銀イオン水では、溶存酸素から酸素ラジカルを発生させ、そのラジカルが細菌やカビなどに抗菌作用を示すことが期待される。これにより、銀イオン、マイクロバブルの各々単独では殺菌できない微生物に対しても殺菌能力を発揮し得る抗菌水を生成することができるようになる。
【００３６】
ここで、本発明の抗菌水生成装置に適用され抗菌される「水」は、不純物として塩素、金属イオンなどを含んでいてもよく、水道水のほか、工業用水などに適用することが可能である。また、上記抗菌される水のマイクロバブル発生部への流入速度は特に限定されるものではない。
【００３７】
本発明においては、水、または上記方法により発生したマイクロバブル含有水を直接銀イオン発生部に流入させて銀イオンを溶出させたり、後述のようにマイクロバブル発生部の下方に水槽を設け、水槽内に流入させたマイクロバブル含有水を銀イオン発生部に接触させたりすることによりマイクロバブル含有水と銀イオンとを混合することができる。
【００３８】
＜銀イオン発生部＞
本発明における銀イオン発生部は、水またはマイクロバブル含有水との接触により銀イオン（Ａｇ＋）を溶出し得る銀含有材料を含む。銀含有材料と水またはマイクロバブル含有水との接触により銀イオンを溶出させるための方法としては、たとえば、図１および図２に示すように、銀イオン発生部に含まれる銀含有材料を水またはマイクロバブル含有水の流路に設置された管路を設けて、銀イオン発生部内を水またはマイクロバブル含有水を通過させる方法が挙げられる。また、図３および図４に示すように、後述のマイクロバブル含有水が流入する水槽に、上記銀イオン発生部を設置することも可能である。このように、銀イオン発生部は、銀含有材料から溶出した銀イオンがマイクロバブル含有水に混合されるように構成される。
【００３９】
上記銀イオン発生部において、銀イオンは水またはマイクロバブル含有水に銀含有材料が接触すればよい。マイクロバブルの表面は帯電しており、マイクロバブル含有水は導電性がよいので、図１に示す実施態様のようにマイクロバブル含有水が銀イオン発生部を通過するような場合に、マイクロバブル含有水との接触による銀イオン発生部に備えた銀含有材料からの銀イオンの自然溶出が促進されるため、より短時間での抗菌効果が得られる。
【００４０】
銀イオン発生部に水またはマイクロバブル含有水を直接流入させる場合には、水またはマイクロバブル含有水の流速は、銀イオンを溶出させ得るならば特に制限されるものではないが、０．１ｌ／ｍｉｎ〜１００ｌ／ｍｉｎとすることが好ましく、０．５ｌ／ｍｉｎ〜１０ｌ／ｍｉｎであるのがより好ましい。上記水またはマイクロバブル含有水の流速が０．１ｌ／ｍｉｎ未満である場合には、バブル発生量が少なくなる傾向にあり、また１００ｌ／ｍｉｎを超える場合には、大型ポンプが必要となり、装置動作時に発生するコスト的な問題、またはスペース的な問題が生じる使用環境制限が出てくる傾向がある。
【００４１】
本発明の抗菌水生成装置において、銀イオン発生部は図１〜図４に示すように、少なくとも１個設けられるものである。銀イオン発生部は複数個設けられてもよく、銀イオンの発生効率の点からは２〜３個設けられることが好ましい。複数個の銀イオン発生部が設けられる場合、たとえば、図１および図２に示すように、銀イオン発生部を形成した管路をマイクロバブル発生部と水槽との間に連続して複数設けてもよいし、複数個の銀イオン発生部の一部または全部を水槽内に設けてもよい。銀イオン発生部を複数個設けることで、水またはマイクロバブル含有水との接触により溶出される銀イオンの濃度を高くすることができ、抗菌効果を増加できるなどの利点がある。
【００４２】
銀イオン発生部が図１に例示するように管路として設けられる場合は、管路に直接銀含有材料を設置し、銀イオン発生部からの銀イオンを含む水またはマイクロバブル含有水の流出口を網目状のフィルタなどを設ければよい。
【００４３】
また、銀イオン発生部を水槽内に設ける場合、銀イオン発生部は、たとえば銀含有材料を網目状のプラスチック容器に入れた構造とすることができる。またこの場合、マイクロバブル発生部と水槽との間には、銀イオン発生部に換えて通常の管路（たとえば図３の管路３１５）が設けられ、マイクロバブル発生部で発生させたマイクロバブル含有水が、直接当該通常の管路を通過して水槽内に注ぎ込まれるように構成とすることができる。上記プラスチック容器の網目の大きさなどは特に限定されず、銀含有材料自体が容器内に保持され、銀イオンが溶出するものであれば、いずれの形状も採用することができる。また、プラスチック容器それ自体の形状構造も特に限定されるものではない。
【００４４】
本発明の抗菌水生成装置において、銀イオン発生部は、図１〜図４に示す例のように装置と一体的に設けられていてもよいが、図５に示す例のように装置とは別体として設けられていてもよい。この場合、マイクロバブル発生部は、蛇口取り付け口を介して水道蛇口から水が流入されるよう構成される代わりに、別体として設けられた銀イオン発生部で生成された銀イオン水を注入するための注入口５１６がマイクロバブル発生部５０３に設けられている。このような構成でも、溶存酸素を高めたマイクロバブルを含む銀イオン水を生成することができる。この場合、銀含有材料を用いて作製された銀イオン発生部に水を接触させて銀イオンを溶出させて得た銀イオン水などを注入することができる。この場合、高濃度の銀イオン水が作製でき、抗菌効果の高いマイクロバブル含有高濃度銀イオン水を容易に生成することができるという利点がある。
【００４５】
＜銀含有材料＞
銀イオン発生部に用いられる上記銀含有材料としては、水またはマイクロバブル含有水との接触により銀イオンを溶出し得るような材料であれば特に制限されるものではなく、従来公知の適宜の材料を挙げることができる。入手が容易であり、また銀イオンの溶出効率に優れる点から、銀ゼオライト、銀含有水溶性ガラス、銀含有セラミックスおよび銀化合物微粒子（銀化合物ナノ粒子）からなる群より選ばれる少なくとも１の材料を含むことが好ましい。本発明における銀化合物微粒子としては、たとえば、硝酸銀が挙げられる。
【００４６】
上記銀含有材料を複数組み合わせて用いる場合、それらの組み合わせおよび配合比等は特に限定されるものではなく、所望の銀濃度で銀イオンの溶出させるよう適宜調整して用いることができる。これらの銀含有材料のなかでも、反応性の高い銀イオンを安定した状態でその系内に保持することができ、また、水またはマイクロバブル含有水と接触させた際の銀イオンの流出効率が良好であることから、特に銀ゼオライトを用いることが好ましい。
【００４７】
上記銀含有材料の形状は特に限定されるものではなく、公知の製造方法で得られる粒子を適宜選択し使用すればよい。
【００４８】
＜銀イオン＞
本発明において得られるマイクロバブル含有銀イオン水における銀イオンは、その濃度が（銀濃度）好ましくは１〜６０００ｐｐｂであり、より好ましくは１０〜１００ｐｐｂである。銀濃度が１ｐｐｂ未満の場合には、抗菌効果が得られない傾向にあり、また、銀濃度が６０００ｐｐｂを超える場合は、銀イオンが水道水中の塩化物イオンと反応し、抗菌効果を下げる傾向にある。マイクロバブル含有銀イオン水中の銀濃度は、たとえば日立製作所製の原子吸光度計、Ｚ−５０１０を用いて測定することができる。
【００４９】
＜光照射部＞
本発明における抗菌水生成装置において、銀イオンの抗菌効果は、上述のようにその媒体（例えば水やマイクロバブル含有水など）に含まれる溶存酸素濃度の高さに比例することを利用したものである。この抗菌効果は、本発明の抗菌水生成装置における光照射部１１３により、マイクロバブル含有銀イオン水に光照射することによりさらに向上させることができる。この抗菌効果の向上は、最近の本発明者らによる実験結果からの知見に基づくものである。該実験結果は、具体的には、菌体として大腸菌をモデルとして、銀イオンの抗菌効果における溶存酸素濃度依存性および光照射有無を確認した結果である。該実験結果の詳細は実験例として後述する。この銀イオンの抗菌効果の溶存酸素濃度依存性および光照射有無を示すメカニズムの詳細は不明であるが、金属イオンの触媒作用による極微量の活性酸素の発生や、溶存酸素の光反応による抗菌作用の高いオゾンの発生が銀イオン抗菌作用の向上に寄与している可能性がある。つまり、銀イオンと菌体とが接触することで銀イオンが菌体に取り込まれて起こる抗菌作用と、さらに上述のマイクロバブル含有銀イオン水中の銀イオンにより活性酸素種が生成し、溶存酸素がオゾンに変化し、抗菌作用を捕捉する可能性が考えられる。
【００５０】
ここで、本発明においては上記光照射部において光照射されたマイクロバブル含有銀イオン水を抗菌水と称する。
【００５１】
本発明の抗菌水生成装置における光照射部としては、特に制限されるものではなく、従来公知のものを適宜用いることができ、具体的には、ＬＥＤなどの固体照明や蛍光灯、電球、ブラックライトのような管球などを挙げることができる。光照射部１１３から照射される光の波長は、２５４〜６００ｎｍの範囲とすることが好ましく、２５４〜４００ｎｍの範囲とすることが特に好ましい。６００ｎｍを越える波長では、殺菌効果の低下が起こる虞があるためである。
【００５２】
照射の強度は１〜１００ｍＷであることが好ましく、１〜５０ｍＷであることが特に好ましい。１ｍＷ未満の強度では、光照射部としての効果を生じない虞があり、１００ｍＷを越える強度では、消費電力の観点から好ましくない。
【００５３】
上記光照射部の配置は、マイクロバブル含有銀イオン水に光照射が可能な装置上の配置であれば、特に限定されず、たとえば、上記水槽内の上部に設けたり、水槽外部に別体として設けたりすることができる。このように、本発明の抗菌水生成装置により、マイクロバブル発生部においてマイクロバブルを発生することによりマイクロバブル含有水を製造する工程、銀イオン発生部において水またはマイクロバブル含有水と銀含有材料との接触により銀イオンを溶出させる工程、および光照射部において上記マイクロバブル含有水と上記銀イオンとを含むマイクロバブル含有銀イオン水に光照射する工程を少なくとも経ることにより抗菌水を生成することができる。
【００５４】
本発明の抗菌水生成装置は、ユニット化されて洗濯機、食器洗浄器などの公知の適宜の製品に搭載することもできる。当該ユニットは、適用する製品に応じて適宜変更することができる。たとえば、洗濯機に搭載する場合、給水口と洗濯槽との間に設置することが考えられる。このように製品に搭載するユニット化された抗菌水生成装置は、一定期間使用した後に交換可能であるように実現されることが好ましい。
【００５５】
以下、実施例、比較例および実験例を挙げて本発明をより詳細に説明するが、本発明はこれらに限定されるものではない。
【実施例】
【００５６】
＜実施例１＞
図１に示した例の本発明の抗菌水生成装置１００を用いて、光照射したマイクロバブル含有銀イオン水（抗菌水）を製造した。本実施例においては、光照射部１１３としてナイトライドセミコンダクター社製ＬＥＤを用い、予め３６５ｎｍ、照射強度５０ｍＷの条件で光照射しておく。
【００５７】
まず、マイクロバブル発生部１０３として三方弁からなるアスピレータを取り付け、一方から水道水を５ｌ／ｍｉｎの流速で流し込み、他方から、多孔質フィルタ１０９（ハニセラム、日本ガイシ製；１インチ四方あたりに１ｃｍ口の細孔が６００個形成されたもの）を介してコンプレッサ１０８により０．１ＭＰａの圧縮空気を１ｍｌ／ｍｉｎの速度で流し込んだ。
【００５８】
このような構成により、マイクロバブル発生部１０３内で、水道水と圧縮空気とが混合され、溶存酸素濃度の高いマイクロバブルを含む水（マイクロバブル含有水）が生成される。
【００５９】
次に、このマイクロバブル含有水を、管路の内壁に全体に銀ゼオライト（エヌ・エフ・ジー製）１００ｇを５０ｍｍの厚みの層として形成した銀イオン発生部１０２を５ｌ／ｍｉｎの流速で通過させてマイクロバブル含有銀イオン水として水槽１０４内に流入させた。次いで、上記のように予め作動させた光照射部１１３のＬＥＤにより３５６ｎｍ、照射強度５０ｍＷの条件で光照射して、抗菌水を生成した。このようにして得られた抗菌水について、原子吸光度計（日立製作所製、Ｚ−５０１０）を用いて測定した銀濃度は１００ｐｐｂであった。また、デジタルマイクロスコープを用いて５００倍で観察したところ、マイクロバブルの発生頻度は単位体積あたり０．３〜０．４％であり、マイクロバブルの直径は２０〜５０μｍであった。
【００６０】
＜実施例２＞
図２に示した例の本発明の抗菌水生成装置２００を用いて、光照射したマイクロバブル含有銀イオン水（抗菌水）を製造した。まず、光照射部２１３としてＬＥＤ（ナイトライドセミコンダクター社製、３６５ｎｍ）を用い、照射強度５０ｍＷにして照射し、マイクロバブル発生部２０３（最も単純には水道水に三方弁からなるアスピレータを取り付けることで作成され、この場合アスピレータがマイクロバブル発生部に該当する）に三方弁からなるアスピレータを取り付け、一方から水道水を５ｌ／ｍｉｎの流速で流し込み、他方からコンプレッサ２０８より０．１ＭＰａの圧縮空気を、多孔質フィルタ２０９（ハニセラム、日本ガイシ製；１インチ四方あたりに１ｃｍ口の細孔が６００個形成されたもの）を介して１ｍｌ／ｍｉｎの速度で流し込んだ。このような構成により、マイクロバブル発生部２０３内で、水道水と圧縮空気とが混合され、溶存酸素濃度の高いマイクロバブル含有水が生成される。このマイクロバブル含有水を、実施例１と同様に管路の内壁に銀ゼオライトを設置して形成した銀イオン発生部２０２を流速５ｌ／ｍｉｎで通過させて水槽２０４内に流入させ、約２分後、マイクロバブル含有銀イオン水が水槽２０４に循環機構として設けられた循環ポンプの入り口に覆うくらいに供給された後、フローセンサにより循環ポンプのスイッチが入った。５〜３０分間循環させた後、マイクロバブル含有銀イオン水を生成した。これらの発生したマイクロバブル含有銀イオン水は、順次光照射部により光照射され抗菌水となる。このようにして得られた抗菌水について、原子吸光度計（日立製作所製、Ｚ−５０１０）を用いて測定された銀濃度は１００ｐｐｂであった。また、実施例１と同じ条件でデジタルマイクロスコープを用いた観察により測定されたマイクロバブルの発生頻度は０．３〜０．４％であり、バブル径は２０〜５０μｍであった。
【００６１】
＜実施例３＞
図３に示した例の本発明の抗菌水生成装置３００を用いて、光照射したマイクロバブル含有銀イオン水（抗菌水）を製造した。まず、光照射部３１３に設置したＬＥＤ（ナイトライドセミコンダクター社製、３６５ｎｍ）を照射強度５０ｍＷにして照射し、マイクロバブル発生部３０３（最も単純には水道水に三方弁からなるアスピレータを取り付けることで作成され、この場合アスピレータがマイクロバブル発生部に該当する）に三方弁からなるアスピレータを取り付け、一方から水道水を５ｌ／ｍｉｎの流速で流し込み、他方からコンプレッサ３０８より０．１ＭＰａの圧縮空気を、多孔質フィルタ３０９（ハニセラム、日本ガイシ製；１インチ四方あたり１ｃｍ口の細孔が６００個形成されたもの）を介して１ｍｌ／ｍｉｎの速度で流し込んだ。このような構成により、マイクロバブル発生部３０３内で、水道水と圧縮空気とが混合され、溶存酸素濃度の高いマイクロバブルを含む水が生成される。
【００６２】
水槽３０４の底面部分に銀ゼオライト１００ｇを網目状のプラスチック容器内に収容して作製された銀イオン発生部３０２を設け、得られたマイクロバブル含有水を流入させ、５〜３０分間攪拌した後、マイクロバブル含有銀イオン水を生成した。この生成したマイクロバブル含有銀イオン水は、上述の光照射部３１３による光照射により順次抗菌水となる。このようにして得られた抗菌水について、原子吸光度計（日立製作所製、Ｚ−５０１０）を用いて測定された銀濃度は１００ｐｐｂであった。また、実施例１と同条件でデジタルマイクロスコープを用いた観察により測定されたマイクロバブルの発生頻度は０．３〜０．４％であり、バブル径は２０〜５０μｍであった。
【００６３】
＜実施例４＞
図４に示した例の本発明の抗菌水生成装置４００を用いて、光照射したマイクロバブル含有銀イオン水（抗菌水）を製造した。まず、光照射部４１３にＬＥＤ（ナイトライドセミコンダクター社製、３６５ｎｍ）を備え、照射強度５０ｍＷにして照射し、マイクロバブル発生部４０３（最も単純には水道水に三方弁からなるアスピレータを取り付けることで作成され、この場合アスピレータがマイクロバブル発生部に該当する）に三方弁からなるアスピレータを取り付け、一方から水道水を５ｌ／ｍｉｎの流速で流し込み、他方からコンプレッサ４０８より０．１ＭＰａの圧縮空気を、多孔質フィルタ４０９（ハニセラム、日本ガイシ製；１インチ四方当たり１ｃｍ口の細孔が６００個形成されたもの）を介して１ｍｌ／ｍｉｎの速度で流し込んだ。このような構成により、マイクロバブル発生部４０３内で、水道水と圧縮空気とが混合され、溶存酸素濃度の高いマイクロバブル含有水が生成される。このマイクロバブル含有水を、実施例３と同様に銀ゼオライトを網目状のプラスチック容器内に収容して作製された銀イオン発生部４０２を底面部分に設けた水槽４０４内に流入させ、約２分後、マイクロバブルを含む銀イオン水が水槽に循環機構として設けられた循環ポンプの入り口に覆うくらいに供給された後、フローセンサにより循環ポンプのスイッチが入った。５〜３０分間循環させた後、マイクロバブル含有銀イオン水を生成した。この生成したマイクロバブル含有銀イオン水は、上述の光照射部４１３による光照射により順次抗菌水とされる。このようにして得られた抗菌水について、原子吸光度計（日立製作所製、Ｚ−５０１０）を用いて測定された銀濃度は１００ｐｐｂであった。また、実施例１と同様にデジタルマイクロスコープを用いた観察により測定されたマイクロバブルの発生頻度は０．３〜０．４％であり、バブル径は２０〜５０μｍであった。
【００６４】
＜実施例５＞
図５に示した例の本発明の抗菌水生成装置５００を用いて、光照射したマイクロバブル含有銀イオン水（抗菌水）を製造した。まず、光照射部５１３にＬＥＤ（ナイトライドセミコンダクター社製、３６５ｎｍ）を取り付け、照射強度５０ｍＷにして照射した。
【００６５】
別体に設けられた銀ゼオライトを用いて作製された銀イオン発生部５０２に水を接触させて銀イオンを溶出させて得た銀イオン水を、注入口５１６よりマイクロバブル発生部５０３に注入した。水槽内の循環ポンプの入り口に覆うくらいに供給された後、フローセンサにより循環ポンプのスイッチが入った。５〜３０分間循環させた後、マイクロバブル含有銀イオン水を生成した。この生成したマイクロバブル含有銀イオン水は、上述の光照射部５１３による光照射により順次抗菌水とされる。このようにして得られた抗菌水について、原子吸光度計（日立製作所製、Ｚ−５０１０）を用いて測定された銀濃度は２００ｐｐｂであった。また、実施例１と同じ条件で、デジタルマイクロスコープを用いた観察により測定されたマイクロバブルの発生頻度は０．３〜０．４％であり、バブル径は２０〜５０μｍであった。
【００６６】
＜参考例１＞
水道水の入った容器内で２枚の銀プレートの電極間に５０Ｖの電界をかけ２０ｍＡの電流を得るように電気分解を２分間行ない、銀イオン水を別途生成させた。このようにして得られた銀イオン水を、図５に示した例の構成を有する抗菌水生成装置５００の注入口５１６よりマイクロバブル発生部５０３に注入した。水槽内の循環ポンプの入り口に覆うくらいに供給された後、フローセンサにより循環ポンプのスイッチが入った。５〜３０分間循環させた後、マイクロバブル含有銀イオン水を生成した。この生成したマイクロバブル含有銀イオン水は、上述の光照射部５１３による光照射により順次抗菌水とされる。このようにして得られた抗菌水について、原子吸光度計（日立製作所製、Ｚ−５０１０）を用いて測定された銀濃度は２００ｐｐｂであった。また、デジタルマイクロスコープを用いた観察により測定されたマイクロバブルの発生頻度は０．３〜０．４％であり、バブル径は２０〜５０μｍであった。
【００６７】
＜比較例１＞
マイクロバブルを発生させなかった以外は実施例１と同様にして、銀ゼオライトからの銀イオン溶出により、マイクロバブルを含まない銀イオン水（銀濃度：５０ｐｐｂ）を生成した。
【００６８】
＜比較例２＞
マイクロバブルを発生させなかった以外は実施例２と同様にして、銀ゼオライトからの銀イオン溶出により、マイクロバブルを含まない銀イオン水（銀濃度：５０ｐｐｂ）を生成した。
【００６９】
＜比較例３＞
マイクロバブルを発生させなかった以外は実施例３と同様にして、銀ゼオライトからの銀イオン溶出により、マイクロバブルを含まない銀イオン水（銀濃度：５０ｐｐｂ）を生成した。
【００７０】
＜比較例４＞
マイクロバブルを発生させなかった以外は実施例４と同様にして、銀ゼオライトからの銀イオン溶出により、マイクロバブルを含まない銀イオン水（銀濃度：５０ｐｐｂ）を生成した。
【００７１】
＜比較例５＞
実施例５と同様に装置とは別体に設けられた銀ゼオライトを用いて、２００ｐｐｂの銀イオン水を生成した。
【００７２】
＜比較例６＞
ＣＯ2雰囲気の中、１２０℃、１５分間、１気圧の高圧蒸気滅菌（オートクレーブ）処理を行なった水道水を用いて、比較例１と同様の操作で銀イオン水を生成した。
【００７３】
＜比較例７＞
ＣＯ2雰囲気の中、１２０℃、１５分間、１気圧の高圧蒸気滅菌（オートクレーブ）処理を行なった水道水を用いて、比較例２と同様の操作で銀イオン水を生成した。
【００７４】
＜比較例８＞
ＣＯ2雰囲気の中、１２０℃、１５分間、１気圧の高圧蒸気滅菌（オートクレーブ）処理を行なった水道水を用いて、比較例３と同様の操作で銀イオン水を生成した。
【００７５】
＜比較例９＞
ＣＯ2雰囲気の中、１２０℃、１５分間、１気圧の高圧蒸気滅菌（オートクレーブ）処理を行なった水道水を用いて、比較例４と同様の操作で銀イオン水を生成した。
【００７６】
＜比較例１０＞
ＣＯ2雰囲気の中、１２０℃、１５分間、１気圧の高圧蒸気滅菌（オートクレーブ）処理を行なった水道水を用いて、比較例５と同様の操作で銀イオン水を生成した。
【００７７】
＜実験例１＞
光照射した銀イオン効果における溶存酸素濃度の依存性を確認する目的で、マイクロバブルによる高い溶存酸素濃度を有する銀イオン水、通常の好気性環境における銀イオン水、嫌気性環境における銀イオン水について、銀イオンによる抗菌効果の溶存酸素濃度依存性を確認した。
【００７８】
実施例１、比較例１、６でそれぞれ得られた抗菌水および銀イオン水について、溶存酸素濃度をウインクラー（アジ化ナトリウム）法にて測定した。この方法は、試料水に硫酸マンガン溶液と水酸化ナトリウム溶液を加え、水酸化マンガン（ＩＩ）の沈殿を生成させ、その沈殿のマンガンが、水中の溶存酸素と反応して溶存酸素に対応する量だけ酸化される。
【００７９】
溶存酸素と反応しない場合：Ｍｎ2+＋２ＯＨ-→Ｍｎ（ＯＨ）2（白色沈殿）
溶存酸素と反応する場合：Ｍｎ（ＯＨ）2＋１／２Ｏ2→Ｍｎ（ＯＨ）2（褐色沈殿）
この沈殿をヨウ素イオンの存在下で酸を加えて溶解すると、溶存酸素量に対応してヨウ素を遊離するので、遊離したヨウ素をチオ硫酸ナトリウムで滴定し、定量することで溶存酸素濃度を求める。
【００８０】
ＭｎＯ（ＯＨ）2＋２Ｉ-＋４Ｈ+→Ｍｎ2+＋Ｉ2＋３Ｈ2Ｏ
Ｉ2＋２Ｓ2Ｏ32-→２Ｉ-＋Ｓ4Ｏ62-
上記方法による結果、実施例１で得られたマイクロバブルを含む銀イオン水の溶存酸素濃度は１０．４ｍｇ／ｌであり、これを高好気性環境銀イオン水とした。また、比較例１で得られたマイクロバブルを含まない銀イオン水の溶存酸素濃度は６．６７ｍｇ／ｌであり、これを好気性環境銀イオン水とした。なお、比較例６の水は、参照用の嫌気性環境とするため、水面に流動パラフィンを１０ｍｍ敷き詰め、外気遮断後、再度オートクレーブ処理を行ない、直ちに急冷し、そのままＣＯ2でパージした容器の中に移動させた後に、溶存酸素濃度を測定するようにした。結果、溶存酸素濃度は１．９８ｍｇ／ｌであった。
【００８１】
実施例１、比較例１、６で得られた水について、大腸菌をモデルとして用いて、３７℃で２４時間インキュベート後平板寒天培地上に形成されるコロニー数から菌の生存の様子を観察することで、抗菌作用を評価した。結果を表１に示す。表１に示すように、銀イオン水は、溶存酸素濃度の高さに比例して、高い抗菌効果を示すことが分かる。実施例２〜４、比較例２〜４、７〜９も表１の結果と同じく、溶存酸素濃度の高さに比例して、高い抗菌効果を示した。
【００８２】
【表１】
0004660516.tif 000002
【００８３】
表１において、「高好気性」、「好気性」、「嫌気性」は、それぞれ高好気性環境銀イオン水、好気性環境銀イオン水、嫌気性環境銀イオン水のことであり、順に実施例１、比較例１、比較例６で得られたものに対応する。
【００８４】
実施例２〜５、比較例２〜５、および比較例７〜１０で得られた水について実験例１と同様に実験を行なった。各水の溶存酸素濃度は、実施例２〜５は１０．１〜１０．８ｍｇ／ｌ、比較例２〜５は６．６９〜７．４ｍｇ／ｌ、比較例７〜１０は１．９〜２．２８ｍｇ／ｌを示す結果が得られ、表１と同様に、銀イオン水は溶存酸素濃度の高さに比例して、高い抗菌効果を示すことが分かった。また、実施例５、比較例５、比較例１０については、菌数を増やして実験を行なった。結果を表２に示す。
【００８５】
【表２】
0004660516.tif 000003
【００８６】
表２において、「高好気性」、「好気性」、「嫌気性」は、表１と同様それぞれ高好気性環境銀イオン水、好気性環境銀イオン水、嫌気性環境銀イオン水のことであり、順に実施例５、比較例５、比較例１０で得られたものに対応する。
【００８７】
＜比較例１１＞
光照射しない他は実施例１と同様にして、マイクロバブルを含む銀イオン水を生成した。
【００８８】
＜比較例１２＞
光照射しない他は実施例２と同様にして、マイクロバブルを含む銀イオン水を生成した。
【００８９】
＜比較例１３＞
光照射しない他は実施例３と同様にして、マイクロバブルを含む銀イオン水を生成した。
【００９０】
＜比較例１４＞
光照射しない他は実施例４と同様にして、マイクロバブルを含む銀イオン水を生成した。
【００９１】
＜比較例１５＞
光照射しない他は実施例５と同様にして、マイクロバブルを含む銀イオン水を生成した。
【００９２】
＜比較例２１＞
光照射しない他は比較例１と同様にして、マイクロバブルを含まない銀イオン水を生成した。
【００９３】
＜比較例２２＞
光照射しない他は比較例２と同様にして、マイクロバブルを含まない銀イオン水を生成した。
【００９４】
＜比較例２３＞
光照射しない他は比較例３と同様にして、マイクロバブルを含まない銀イオン水を生成した。
【００９５】
＜比較例２４＞
光照射しない他は比較例４と同様にして、マイクロバブルを含まない銀イオン水を生成した。
【００９６】
＜比較例２５＞
光照射しない他は比較例５と同様にして、マイクロバブルを含まない銀イオン水を生成した。
【００９７】
＜実験例２＞
実施例１、比較例１、１１、２１で得られた各水を用いて、抗菌作用試験を行なった。まず、培養したクロカワカビにそれぞれ０、１０分、１時間、２４時間作用させた。その後、平板寒天培地法で菌数を測定した。結果を表３に示す。
【００９８】
【表３】
0004660516.tif 000004
【００９９】
表３に示されるように、抗菌効果の高かったものは、光照射済みマイクロバブル含有銀イオン水（抗菌水）（実施例１）、マイクロバブル含有銀イオン水（比較例１１）の順となり、光照射済み銀イオン水（比較例１）、銀イオン水（比較例２１）は同程度の結果となった。
【０１００】
実施例５については、菌数を増やして実験を行ない、初期の菌数にあわせた後、実施例５、比較例５、比較例１５、比較例２５で得られた水について実験例２と同様に実験を行なったが、表３と同様に、光照射済みマイクロバブル含有銀イオン水（実施例５）、マイクロバブル含有銀イオン水（比較例１５）の順で抗菌効果が高く、光照射済み銀イオン水（比較例５）、銀イオン水（比較例２５）は同程度の結果が得られた。結果を表４に示す。
【０１０１】
【表４】
0004660516.tif 000005
【０１０２】
今回開示された実施の形態、実施例および比較例は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【産業上の利用可能性】
【０１０３】
本発明により、人体にとって安全性の高い銀イオンを応用した抗菌技術が開発され、さらに、マイクロバブルを水中で発生させることで、溶存酸素濃度の高い銀イオン水が作製され、銀イオン、マイクロバブルのみでは殺菌できない微生物への殺菌効果を高めることができる。また、従来にはなかった高い抗菌作用を、電気分解を用いないことで消費電力を抑えることを可能とした銀ゼオライトに代表される銀イオン発生機構を用いた銀イオン水が作製される。そして、光照射をもおこなうことで溶存酸素の一部がオゾンに変化し、抗菌効果の高いマイクロバブルを含む銀イオン水となる。これらの技術を応用して、銀イオン水とマイクロバブル供給装置と光照射部とを備えた銀イオン水抗菌水生成装置が開発される。
【図面の簡単な説明】
【０１０４】
【図１】本発明の第１の実施態様の抗菌水生成装置１００を模式的に示す図である。
【図２】本発明の第２の実施態様の抗菌水生成装置２００を模式的に示す図である。
【図３】本発明の第３の実施態様の抗菌水生成装置３００を模式的に示す図である。
【図４】本発明の第４の実施態様の抗菌水生成装置４００を模式的に示す図である。
【図５】本発明の第５の実施態様の抗菌水生成装置５００を模式的に示す図である。
【符号の説明】
【０１０５】
１００，２００，３００，４００，５００  抗菌水生成装置、１０２，２０２，３０２，４０２，５０２  銀イオン発生部、１０３，２０３，３０３，４０３，５０３  マイクロバブル発生部、１０４，２０４，３０４，４０４，５０４  水槽、１０５，２０５，３０５，４０５，５０５  取り出し口、１０６，２０６，３０６，４０６，５０６  蛇口取り付け口、１０７，２０７，３０７，４０７，５０７  水道蛇口、１０８，２０８，３０８，４０８，５０８  コンプレッサ、１０９，２０９，３０９，４０９，５０９  多孔質フィルタ、１１０，３１０  攪拌部、２１２，４１２，５１２  循環機構、１１３，２１３，３１３，４１３，５１３  光照射部、２１４，３１５，４１４，４１５，５１４，５１５  管路。
【図１】
0004660516.tif 000006
【図２】
0004660516.tif 000007
【図３】
0004660516.tif 000008
【図４】
0004660516.tif 000009
【図５】
0004660516.tif 000010